【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
身体ルーメンを治療する装置において：
近位端と、身体ルーメン内に導入するサイズの遠位端と、前記近位端と遠位端との間に延在する第１膨張ルーメンと、を具える細長筒状部材と；
遠位端上の内側バルーンであって、実質的に非弾性材料から形成され、中央領域を規定しており、当該内側バルーンが前記遠位端の周りに巻かれたあるいは折りたたまれている送達構造から、膨張媒体が第１膨張ルーメン内に導入されると前記中央領域がほぼ均一な径を規定する拡大構造へ拡開可能である内側バルーンと；
前記内側バルーンを覆っている前記遠位端上の外側バルーンであって、弾性材料から形成され、前記内側バルーンが縮んだ構造から拡大構造へ拡張するときに弾性的に拡張する外側バルーンと；
を具えることを特徴とする装置。
【請求項２】
請求項１に記載の装置がさらに、前記外側バルーンの周りに、互いからスペースを空けて、前記内側バルーンの中央領域の上に整列して配置された複数のステントを具えることを特徴とする装置。
【請求項３】
請求項２に記載の装置において、前記外側バルーンがその外側表面上にスペースを空けて離れた構造を具え、前記ステントと係合して前記外側バルーンに対する前記ステントの軸方向の移動を防止する、ことを特徴とする装置。
【請求項４】
請求項３に記載の装置において、前記スペースを空けて離れた構造が、前記外側バルーンの前記外側表面から外側に向けて延在する突出部を具えることを特徴とする装置。
【請求項５】
請求項３に記載の装置において、前記スペースを空けて離れた構造が、前記外側バルーン内に形成され前記ステントを受けるように構成した形状を有するインデントを具えることを特徴とする装置。
【請求項６】
請求項３に記載の装置において、前記スペースを空けて離れた構造が、前記ステント間に配置された前記外側バルーンの環状薄壁領域を具え、当該薄壁領域が前記ステントの下に配置された前記外側バルーンの領域より壁厚が薄いことを特徴とする装置。
【請求項７】
請求項１に記載の装置がさらに、前記内側バルーンの前記中央領域の少なくとも一部の上に前記外側バルーンの周りに配置した単一ステントを具えることを特徴とする装置。
【請求項８】
請求項１乃至７のいずれか１項に記載の装置において、前記内側及び外側バルーンの少なくとも一方が、前記内側バルーンが縮んだ構造から拡大構造へ拡開する際に発生し、前記外側バルーンに伝達される非半径方向の力の実質的な移動を防止する一またはそれ以上の構造を具えることを特徴とする装置。
【請求項９】
請求項８に記載の装置において、前記外側バルーンが低摩擦内側表面を具え、当該内側表面が前記内側バルーンが拡開している間に前記内側バルーンの外側表面と摺動可能に係合することを特徴とする装置。
【請求項１０】
請求項８に記載の装置において、前記内側バルーンが低摩擦外側表面を具え、前記内側バルーンが拡開している間に前記外側バルーンの内側表面と摺動可能に係合することを特徴とする装置。
【請求項１１】
請求項８に記載の装置において、前記一またはそれ以上の構造が、前記内側バルーンの外側表面上の潤滑コーティングと、前記外側バルーンの内側表面の潤滑コーティングとの少なくとも一つを具えることを特徴とする装置。
【請求項１２】
請求項８に記載の装置において、前記一またはそれ以上の構造が、前記内側及び外側バルーンの間のスペース内に配置した潤滑流体を具えることを特徴とする装置。
【請求項１３】
請求項２乃至６のいずれか１項に記載の装置において、前記外側バルーンが、複数のステントを係合して、当該ステントの互いに対する動きを最小にする高摩擦外側表面を具えることを特徴とする装置。
【請求項１４】
請求項１に記載の装置において、前記外側バルーンが、その外側表面に、前記外側バルーンに装てんした一又はそれ以上のステントに係合するスペースを空けて離れた構造を具え、前記外側バルーンに対する前記ステントの軸方向の移動を防止する、ことを特徴とする装置。
【請求項１５】
請求項１４に記載の装置において、前記スペースを空けて離れた構造が、前記外側バルーンの前記外側表面から外側に向けて延在する突出部を具えることを特徴とする装置。
【請求項１６】
請求項１４に記載の装置において、前記スペースを空けて離れた構造が、前記外側バルーンに形成され、その中に一またはそれ以上のステントを受けるように構成された形状を有するインデントを具えることを特徴とする装置。
【請求項１７】
請求項１４に記載の装置において、前記スペースを空けて離れた構造が、前記外側バルーン上に装填されたステント間に配置されるように構成された前記外側バルーンの環状薄壁領域を具え、当該薄壁領域が前記ステントの下に配置された前記外側バルーンの領域より壁厚が薄いことを特徴とする装置。
【請求項１８】
請求項１乃至７のいずれか１項に記載の装置が更に、前記内側バルーンと外側バルーンの間に、前記内側バルーンが拡開する間に前記内側バルーンの前記外側バルーンに対する摺動を容易にする潤滑流体を具えることを特徴とする装置。
【請求項１９】
請求項１に記載の装置において、前記筒状部材が、前記筒状部材の近位端と遠位端の間に延在する第２膨張ルーメンを具え、当該第２膨張ルーメンが、前記外側バルーンの内部と連通しており、前記内側バルーンから独立して少なくとも部分的に前記外側バルーンが膨張することを特徴とする装置。
【請求項２０】
請求項１に記載の装置において、前記外側バルーンが、縮んだ構造において前記内側バルーンの周りで少なくとも部分的に弾性的に拡張することを特徴とする装置。
【請求項２１】
身体ルーメンを治療する装置において：
近位端と、身体ルーメン内に導入するサイズの遠位端と、前記近位端と遠位端の間に延在する第１及び第２膨張ルーメンと、を具える細長筒状部材と；
前記遠位端上にあり、前記遠位端に取り付けた第１及び第２の端部を具える内側バルーンであって、実質的に非弾性材料から形成され、前記第１膨張ルーメンと内部連通しており、前記内側バルーンの中央領域が、膨張媒体を前記第１膨張ルーメンに導入した時にほぼ均一な径に拡張する、内側バルーンと；
前記遠位端の上にあり前記内側バルーンを覆っている外側バルーンであって、弾性材料から形成され前記第２膨張ルーメンと内側連通して、前記内側バルーンの拡開から独立して拡開する、外側バルーンと；
前記外側バルーンの周りに、互いからスペースを空けて配置され、前記内側バルーンの中央領域の上に整列している複数のステントと；
を具えることを特徴とする装置。
【請求項２２】
請求項２１に記載の装置において、前記外側バルーンが高摩擦外側表面を具え、当該表面が、前記複数のステントに係合して、当該ステントの互いに対する動きを最小限にすることを特徴とする装置。
【請求項２３】
請求項２２に記載の装置において、前記外側バルーンが低摩擦内側表面を具え、当該表面が前記内側バルーンが拡開している間に前記内側バルーンの外側表面と摺動可能に係合することを特徴とする装置。
【請求項２４】
請求項２２に記載の装置において、前記内側バルーンが低摩擦外側表面を具え、当該表面が前記内側バルーンが拡開している間に前記外側バルーンの内側表面と摺動可能に係合することを特徴とする装置。
【請求項２５】
請求項２１に記載の装置において、前記外側バルーンがその外側表面にスペースを空けて離れた構造を具え、前記ステントに係合して、前記ステントの前記外側バルーンに対する軸方向の移動を防止することを特徴とする装置。
【請求項２６】
請求項２５に記載の装置において、前記スペースを空けて離れた構造が、前記外側バルーンの外側表面から外側に向けて延在する突出部を具えることを特徴とする装置。
【請求項２７】
請求項２５に記載の装置において、前記スペースを空けて離れた構造が、前記外側バルーン内に形成され、前記ステントをその中に受けるように構成された形状を有するインデントを具えることを特徴とする装置。
【請求項２８】
請求項２５に記載の装置において、前記スペースを空けて離れた構造が、前記ステントの間に配置された前記外側バルーンの環状の薄い壁領域を具え、当該薄い壁領域が、前記ステントの下に配置された前記外側バルーンの領域より薄い壁厚を有することを特徴とする装置。
【請求項２９】
請求項２１に記載の装置がさらに、前記内側バルーンと外側バルーンの間に配置した潤滑流体を具え、前記内側バルーンが拡開している間に前記内側バルーンの前記外側バルーンに対する摺動を容易にしたことを特徴とする装置。
【請求項３０】
請求項２１に記載の装置において、前記複数のステントの各々が、当該複数のステントの各々の中央領域より大きい径に拡張するように構成された拡張可能な端部を具えることを特徴とする装置。
【請求項３１】
身体ルーメンを治療する装置において：
近位端と、身体ルーメン内に導入するサイズの遠位端と、前記近位端と遠位端の間に延在する第１膨張ルーメンと、を具える細長筒状部材と；
前記遠位端上にあり、前記遠位端に取り付けた第１および第２の端部を具える内側バルーンであって、実質的に非弾性材料から形成され、前記第１膨張ルーメンと内部連通しており、前記内側バルーンの中央領域が、膨張媒体を前記第１膨張ルーメンに導入した時にほぼ均一な径に拡張する、内側バルーンと；
前記遠位端の上にあり前記内側バルーンを覆っている外側バルーンであって、弾性材料から形成され、前記外側バルーンの内側表面と前記内側バルーンの外側表面の少なくとも一つが、潤滑剤を具え、前記内側バルーンが拡開したときに前記外側表面が前記内側表面と摺動可能に係合する、外側バルーンと；
前記外側バルーンの周りに、互いからスペースを空けて配置され、前記内側バルーンの中央領域の上に整列している複数のステントと；
を具えることを特徴とする装置。